(57)【要約】【課題】デジタルカメラ等の記録再生機器において、データの検索等の処理を行なう場合の利便性を向上させる。【解決手段】記録媒体の階層構造の最上位にあるルートディレクトリ直下の階層に、同一のディレクトリ構造を有する複数のディレクトリＤＣＩＭ，ＳＮＤＲを作成して、その複数のディレクトリのそれぞれに、画像データと音声データを記録する記録部を備える。【選択図】      図２
2006301792.tif 000002
【特許請求の範囲】
【請求項１】
記録媒体の階層構造の最上位にあるルートディレクトリ直下の階層に、同一のディレクトリ構造を有する複数のディレクトリを作成して、該複数のディレクトリのそれぞれに、種類の異なるデータを記録する記録手段を備えることを特徴とする記録再生装置。
【請求項２】
前記同一のディレクトリ構造とは、ディレクトリ内に記録されるデータファイルのファイル名の命名規則が同一であるディレクトリ構造であることを特徴とする請求項１に記載の記録再生装置。
【請求項３】
前記複数のディレクトリ毎に、データファイルの検索、データファイルの再生、データファイルの編集、データファイルの属性変更、データファイルの削除のうち少なくとも一つの操作を行う操作手段をさらに具備することを特徴とする請求項１に記載の記録再生装置。 
【請求項４】
前記種類の異なるデータとは、画像データと音声データであることを特徴とする請求項１に記載の記録再生装置。
【請求項５】
前記記録媒体に対して、前記種類の異なるデータのうちの主となるデータの検索を従となるデータの検索よりも優先して行なう検索手段をさらに具備することを特徴とする請求項１に記載の記録再生装置。
【請求項６】
前記主となるデータとは画像データであり、従となるデータとは音声データであることを特徴とする請求項５に記載の記録再生装置。
【請求項７】
外部機器からの指示により、前記複数のディレクトリ毎に、データファイルの検索、データファイルの再生、データファイルの編集、データファイルの属性変更、データファイルの削除のいずれかの操作を行う操作手段をさらに具備することを特徴とする請求項１に記載の記録再生装置。
【請求項８】
前記複数のディレクトリにデータファイルを保存する場合のファイル名の命名規則の変更を、前記複数のディレクトリに対して同時に行うことを特徴とする請求項１に記載の記録再生装置。
【請求項９】
記録媒体の階層構造の最上位にあるルートディレクトリ直下の階層に、同一のディレクトリ構造を有する複数のディレクトリを作成して、該複数のディレクトリのそれぞれに、種類の異なるデータを記録する記録工程を備えることを特徴とする記録再生方法。
【請求項１０】
前記同一のディレクトリ構造とは、ディレクトリ内に記録されるデータファイルのファイル名の命名規則が同一であるディレクトリ構造であることを特徴とする請求項９に記載の記録再生方法。
【請求項１１】
前記複数のディレクトリ毎に、データファイルの検索、データファイルの再生、データファイルの編集、データファイルの属性変更、データファイルの削除のうち少なくとも一つの操作を行う操作工程をさらに具備することを特徴とする請求項９に記載の記録再生方法。 
【請求項１２】
前記種類の異なるデータとは、画像データと音声データであることを特徴とする請求項９に記載の記録再生方法。
【請求項１３】
前記記録媒体に対して、前記種類の異なるデータのうちの主となるデータの検索を従となるデータの検索よりも優先的して行なう検索工程をさらに具備することを特徴とする請求項９に記載の記録再生方法。
【請求項１４】
前記主となるデータとは画像データであり、従となるデータとは音声データであることを特徴とする請求項１３に記載の記録再生方法。
【請求項１５】
外部機器からの指示により、前記複数のディレクトリ毎に、データファイルの検索、データファイルの再生、データファイルの編集、データファイルの属性変更、データファイルの削除のいずれかの操作を行う操作工程をさらに具備することを特徴とする請求項９に記載の記録再生方法。
【請求項１６】
前記複数のディレクトリにデータファイルを保存する場合のファイル名の命名規則の変更を、前記複数のディレクトリに対して同時に行うことを特徴とする請求項９に記載の記録再生方法。
【請求項１７】
請求項９乃至１６のいずれか１項に記載の記録再生方法をコンピュータに実行させることを特徴とするプログラム。
【請求項１８】
請求項１７に記載のプログラムをコンピュータ読み取り可能に記憶したことを特徴とする記憶媒体。
【発明の詳細な説明】
【技術分野】
【０００１】
本発明は、画像データ、音声データ等を記録再生する記録再生技術に関する。
【背景技術】
【０００２】
従来、固体メモリ素子を有するメモリカードを記録媒体として、静止画像や動画像を記録再生するデジタルカメラ等の記録再生装置は既に市販されており、カラー液晶パネル等の電子ファインダーを備えるデジタルカメラも販売されている。
【０００３】
また、画像データの他に、音声等の画像とは異なる形式のデータを画像データと同一のディレクトリ構造下に画像データと関連付けて或いは画像データとの関連付けを行わず独立したデータとして記録再生する機能を持つものがあった。
【特許文献１】特開２００２−２２３４０１号公報
【発明の開示】
【発明が解決しようとする課題】
【０００４】
このような従来のデジタルカメラ等の記録再生装置においては、画像データ或いは音声データどちらか一方のみの検索を行いたい場合でも、音声データが画像データと同一ディレクトリ構造下に配置されるため、ディレクトリ情報の解析時に検索対象としないもう一方のフォーマットのデータ（例えば検索対象が画像データである場合の音声データ）を判別し、破棄する処理が必要となるため検索時間が無駄にかかってしまうという問題があった。
【０００５】
また、画像データ或いは音声データどちらか一方のみに対して何らかの処理を施したい場合にも同様の問題が生じていた。
【０００６】
また、デジタルカメラのような記録再生機器においては、主の用途が画像データの記録再生なのにもかかわらず、上記同様、画像データの検索時に音声データ等の不要なデータの混合によるオーバーヘッドが生じ記録再生の開始が遅れるといった問題があった。
【０００７】
したがって、本発明は上述した課題に鑑みてなされたものであり、その目的は、デジタルカメラ等の記録再生機器において、データの検索等の処理を行なう場合の利便性を向上させることである。
【課題を解決するための手段】
【０００８】
上述した課題を解決し、目的を達成するために、本発明に係わる記録再生装置は、記録媒体の階層構造の最上位にあるルートディレクトリ直下の階層に、同一のディレクトリ構造を有する複数のディレクトリを作成して、該複数のディレクトリのそれぞれに、種類の異なるデータを記録する記録手段を備えることを特徴とする。
【０００９】
また、本発明に係わる記録再生方法は、記録媒体の階層構造の最上位にあるルートディレクトリ直下の階層に、同一のディレクトリ構造を有する複数のディレクトリを作成して、該複数のディレクトリのそれぞれに、種類の異なるデータを記録する記録工程を備えることを特徴とする。
【００１０】
また、本発明に係わるプログラムは、上記の記録再生方法をコンピュータに実行させることを特徴とする。
【００１１】
また、本発明に係わる記憶媒体は、上記のプログラムをコンピュータ読み取り可能に記憶したことを特徴とする。
【発明の効果】
【００１２】
本発明によれば、デジタルカメラ等の記録再生機器において、データの検索等の処理を行なう場合の利便性を向上させることが可能となる。
【発明を実施するための最良の形態】
【００１３】
以下、本発明の好適な一実施形態について、図面を参照して詳細に説明する。
【００１４】
図１は、本発明の画像及び音声等の記録再生装置をデジタルカメラに適用した一実施形態の構成を示すブロック図である。
【００１５】
図１において、１００はデジタルカメラである。
【００１６】
１０は撮影レンズ、１２は絞り機能を備えるシャッター、１４は光学像を電気信号に変換する撮像素子、１６は撮像素子１４のアナログ出力信号をデジタル信号に変換するＡ／Ｄ変換器である。
【００１７】
１８は撮像素子１４、 Ａ／Ｄ変換器１６、 Ｄ／Ａ変換器２６、 Ａ／Ｄ変換器２２２、 Ｄ／Ａ変換器２２４にクロック信号や制御信号を供給するタイミング発生回路であり、メモリ制御回路２２及びシステム制御回路５０により制御される。
【００１８】
２０は画像処理回路であり、 Ａ／Ｄ変換器１６からのデータ或いはメモリ制御回路２２からのデータに対して所定の画素補間処理や色変換処理を行う。
【００１９】
また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２０】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２２０はマイク及び増幅装置等で構成される音声入力部であり、音声入力部２２０から出力されるアナログ音声信号はＡ／Ｄ変換器２２２でデジタル化され、メモリ制御回路２２を介して、メモリ３０に書き込まれる。
【００２４】
画像再生においては、記録媒体２００或いは２１０からメモリ３０に読み出された圧縮画像データが、圧縮・伸長回路３２によって伸張され、画像表示メモリ２４に展開される。
【００２５】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００２６】
画像表示部２８を用いて撮像した画像データを逐次表示すれば、電子ファインダー機能を実現することが可能である。
【００２７】
また、画像表示部２８はＯＳＤ（On Screen Display）による各種情報表示の重畳が可能であり、表示内容としては、シングルショット／連写撮影表示、セルフタイマー表示、圧縮率表示、記録画素数表示、記録枚数表示、表示画像通し番号表示、残撮影可能枚数表示、検索キーアイコン表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００２８】
これら各種情報表示のうち、撮影時の条件及び設定は、撮影時に各情報を画像ヘッダに格納し、再生時に同画像ヘッダを解析抽出することにより取得でき、再生時においても画像の撮影時の条件を参照することが可能となる。
【００２９】
音声再生においては、記録媒体２００或いは２１０からメモリ３０に読み出された音声データが、Ｄ／Ａ変換機２２４によってアナログ信号に変換され、増幅アンプ及びスピーカー等で構成される音声出力部２２６により再生される。
【００３０】
３０は撮影した静止画像、動画像、音声等を格納するためのメモリであり、所定枚数の静止画像や所定時間の動画像および音声を格納するのに十分な記憶容量を備えている。
【００３１】
これにより、複数枚の静止画像を連続して撮影する連射撮影やパノラマ撮影の場合にも、高速かつ大量の画像書き込みをメモリ３０に対して行うことが可能となる。
【００３２】
また、メモリ３０はシステム制御回路５０の作業領域としても使用することが可能である。
【００３３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３４】
４０は絞り機能を備えるシャッター１２を制御する露光制御部であり、フラッシュ４８と連携することによりフラッシュ調光機能も有するものである。
【００３５】
４２は撮影レンズ１０のフォーカシングを制御する測距制御部、４４は撮影レンズ１０のズーミングを制御するズーム制御部、４６はバリアである保護部１０２の動作を制御するバリア制御部である。
【００３６】
４８はフラッシュであり、ＡＦ補助光の投光機能、フラッシュ調光機能も有する。
【００３７】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００３８】
５０はデジタルカメラ１００全体を制御するシステム制御回路、５２はシステム制御回路５０の動作用の定数、変数、プログラム等を記憶するメモリであり、後述する図３に示す動作を行なうためのプログラム等も記憶している。
【００３９】
５４はシステム制御回路５０でのプログラムの実行に応じて音声等を用いて動作状態やメッセージ等を表示するスピーカー等の表示部であり、例えばＬＥＤ、発音素子等の組み合わせにより構成されている。
【００４０】
また、表示部５４は、その一部の機能が光学ファインダー１０４内に設置されている。
【００４１】
表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４２】
５６は電気的に消去・記録可能な不揮発性メモリであり、例えばＥＥＰＲＯＭ等が用いられる。
【００４３】
６０、６２、６４及び７０は、システム制御回路５０の各種の動作指示を入力するための操作部であり、スイッチやダイアル、タッチパネル、視線検知によるポインティング、音声認識装置等の単数或いは複数の組み合わせで構成される。
【００４４】
ここで、これらの操作部の具体的な説明を行う。
【００４５】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４６】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４７】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に書き込む記録処理という一連の処理の動作開始を指示する。
【００４８】
２２８は音声録音開始及び停止スイッチＳＷ３で、音声入力部２２０から読み出した信号をＡ／Ｄ変換器２２２、メモリ制御回路２２を介してメモリ３０に書き込む録音処理、メモリ３０から音声データを読み出して記録媒体２００或いは２１０に書き込む記録処理という一連の処理の動作開始または停止を指示する。
【００４９】
７０は各種ボタンやタッチパネル等からなる操作部で、メニューボタン、セットボタン、マクロボタン、フラッシュ設定ボタン、単写／連写／セルフタイマー切り替えボタン、メニュー移動＋（プラス）ボタン、メニュー移動−（マイナス）ボタン、再生画像送り＋（プラス）ボタン、再生画像送り−（マイナス）ボタン等がある。
【００５０】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５１】
８２はコネクタ、８４はコネクタ、８６はアルカリ電池やリチウム電池等の一次電池やＮｉＣｄ電池やＮｉＭＨ電池、Ｌｉイオン電池等の二次電池、ＡＣアダプター等からなる電源部である。
【００５２】
９０及び９４はメモリカードやハードディスク等の記録媒体とのインターフェース、９２及び９６はメモリカードやハードディスク等の記録媒体と接続を行うコネクタ、９８はコネクタ９２及び／或いは９６に記録媒体２００或いは２１０が装着されているか否かを検知する記録媒体着脱検知部である。
【００５３】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５４】
インターフェース及びコネクタとしては、ＰＣＭＣＩＡカードやＣＦ（コンパクトフラッシュ（登録商標））カード等の規格に準拠したものを用いて構成して構わない。
【００５５】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５６】
１０２は、デジタルカメラ１００のレンズ１０を含む撮像部を覆う事により、撮像部の汚れや破損を防止するバリアである保護部である。
【００５７】
１０４は光学ファインダであり、画像表示部２８による電子ファインダー機能を使用すること無しに、光学ファインダのみを用いて撮影を行うことが可能である。
【００５８】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５９】
１１２は通信部１１０によりデジタルカメラ１００を他の機器と接続するコネクタ或いは無線通信の場合はアンテナである。
【００６０】
２００はメモリカードやハードディスク等の記録媒体である。
【００６１】
記録媒体２００は、半導体メモリや磁気ディスク等から構成される記録部２０２、デジタルカメラ１００とのインタフェース２０４、デジタルカメラ１００と接続を行うコネクタ２０６を備えている。
【００６２】
２１０はメモリカードやハードディスク等の記録媒体である。
【００６３】
記録媒体２１０は、半導体メモリや磁気ディスク等から構成される記録部２１２、デジタルカメラ１００とのインタフェース２１４、デジタルカメラ１００と接続を行うコネクタ２１６を備えている。
【００６４】
次に、図２乃至図４を参照して、本実施形態のデジタルカメラの動作について説明する。
【００６５】
図２は記録媒体２００，２１０内のディレクトリ及びファイルの構成例を示す図である。
【００６６】
ＲＯＯＴディレクトリ（ルートディレクトリ）直下に配置されたＤＣＩＭディレクトリ以下のディレクトリ構造は一般的にデジタルカメラにおいて使用されているＤＣＦ規格に則るものである。
【００６７】
ＤＣＦ規格においてはＤＣＩＭ以下のディレクトリ構造において、画像ファイル及び画像ファイルに添付された添付ファイルを扱うため、図２の例においては、ファイル番号０００１に割り当てられたＩＭＧ＿０００１．ＪＰＧ及び、ファイル番号０００２に割り当てられたＩＭＧ＿０００２．ＪＰＧ及びその添付音声ファイルＳＮＤ＿０００２．ＷＡＶの認識及び再生が可能なことを示している。ここで音声ファイルＳＤＲ＿０００６．ＷＡＶは対となる画像ファイルが存在しないため認識不可としている。
【００６８】
ＲＯＯＴディレクトリ直下に配置されたＳＮＤＲディレクトリ以下のディレクトリ構造は、ＤＣＦ規格に則るＤＣＩＭ以下のディレクトリ構造と同一のディレクトリ構造を有するもう一方のディレクトリである。ここではＳＮＤＲ以下のディレクトリ構造を単独音声専用のものとして扱っており、音声ファイルと認識される拡張子を持つファイルのみを認識している。
【００６９】
ここでは音声ファイル専用のディレクトリ構造としているが動画ファイル専用、テキストファイル専用等、その他特定のファーマットに限定されたディレクトリ構造でもよく、また、複数個存在してもよい。
【００７０】
このため、画像ファイルのみ、音声ファイルのみといった特定のフォーマットのファイルのみに対する操作を行う場合は、特定のファーマットを扱うディレクトリ構造のみに対して操作を行えばよい。
【００７１】
図３は、本実施形態のデジタルカメラにおける検索処理のフローチャートである。
【００７２】
デジタルカメラ１００が起動された場合、図３に示す以下の処理が実行される。
【００７３】
デジタルカメラ１００が起動されたならば、まず、記録媒体２００或いは２１０における画像ディレクトリの解析及び解析結果の保持を行う（ステップＳ３０１）。
【００７４】
本実施形態のデジタルカメラにおいては、ＤＣＦ規格に則って画像が記録されており、この場合ここではＤＣＩＭ以下のディレクトリ構造に存在する画像ファイルの有無、ファイル属性等の情報を記録媒体２００或いは２１０のファイルシステムのディレクトリエントリ等から取得し、図１に示すメモリ５２等に参照情報として記憶する。
【００７５】
画像ファイルの有無に関しては、ＤＣＦ規格に則り、ＤＣＦルートディレクトリである“ＤＣＩＭ”直下のＤＣＦディレクトリ“ｘｘｘｙｙｙｙ”（ｘｘｘは１００〜９９９までの数字、ｙｙｙｙｙは任意の文字列）直下に存在するＤＣＦオブジェクトの有無によって決定する。ＤＣＦオブジェクトはｊｊｊｊｋｋｋｋ．ｌｌｌ（ｊｊｊｊは任意の文字列、ｋｋｋｋは０００１〜９９９９までの数字、ｌｌｌは拡張子）のファイル名規則を持つ。ＤＣＦファイルのｋｋｋｋが同一（ファイル番号が同じ）のファイルが同一のオブジェクトとして認識される。
【００７６】
例えば、図２の、ＲＯＯＴ／ＤＣＩＭ／１００ＣＡＮＯＣ直下において、ＩＭＧ＿０００１．ＪＰＧは画像のみのＤＣＦオブジェクト、ＩＭＧ＿０００２．ＪＰＧとＳＮＤ＿０００２．ＷＡＶは画像及びこの画像に付随した音声付のＤＣＦオブジェクトとして検出される。音声ファイルＳＤＲ＿０００６．ＷＡＶは同ファイル番号の画像ファイルが存在しないので、ＤＣＦオブジェクトからは除外する。
【００７７】
次に、図１の操作部７０の操作により、表示部５４に表示された画像の次画像の表示指示等により、画像ファイルに関する情報取得要求があった場合（ステップＳ３０２）、ステップＳ３０１で保持された画像ディレクトリ解析結果より画像ファイルに関する情報を取得し返信する（ステップＳ３０３）。
【００７８】
これは例えば、再生モードにおいては、起動後最初に表示するＤＣＦ規則上の最大ディレクトリ番号のＤＣＦディレクトリ内に存在する最大ファイル番号の画像ファイルに関するメディア上の存在位置を示すパスの情報や、その後のユーザーのボタン操作等による表示画像選択に伴うパス情報の取得等に対する返信である。
【００７９】
また、記録モードにおいては、次の撮影可否の問い合わせに対する返信、すなわち、ＤＣＦ規格の命名規則に則る新たなファイル名のファイルが生成可能かどうかの返信を行なう。例えばディレクトリ番号及びファイル番号を常に昇順で記録するような記録再生装置の場合は記録媒体内の最大ディレクトリ番号がｘｘｘ＝９９９且つ、このＤＣＦディレクトリ内に存在する最大ファイル番号の画像ファイルがｊｊｊｊ＝９９９９である場合、これ以上のファイル名の生成は不可となり、撮影を禁止する返信を行う。
【００８０】
表示部５４に表示されたメニュー或いは所定の釦等の指示により音声録音モードが指示され、音声ファイルに関する情報取得要求があった場合（ステップＳ３０４）で、音声ディレクトリが解析済みで無い場合（ステップＳ３０５）、音声ディレクトリの解析を行い、解析結果を図１におけるメモリ５２等に参照情報として記録保持する（ステップＳ３０６）。
【００８１】
音声ディレクトリにおいては、音声ファイルのみを扱うこととしているので、例えば図２の、ＲＯＯＴ／ＳＮＤＲ／１００ＣＡＮＯＣ直下において、音声ファイルとして扱う拡張子のファイルのみ、すなわちＳＤＲ＿０００１．ＷＡＶ、ＳＤＲ＿０００２．ＷＡＶ、ＳＤＲ＿０００３．ＷＡＶのみを取り扱い対象とし、ＩＭＧ＿０００４．ＪＰＧは取り扱い対象としない。
【００８２】
即ち、図２の状態において、新たに単独音声が録音された場合、１００ＣＡＮＯＣ直下において最大の値である、ＩＭＧ＿０００４．ＪＰＧの０００４に１を足すのではなく、ＳＤＲ＿０００３．ＷＡＶに１を足して、ＳＤＲ＿０００４．ＷＡＶをファイル名とする。
【００８３】
音声ディレクトリが解析済みの場合（ステップＳ３０５、ステップＳ３０６）、ステップＳ３０６で保持された音声ディレクトリ解析結果より音声ファイルに関する情報を取得し返信する（ステップＳ３０７）。
【００８４】
画像ファイル、音声ファイルいずれに対する情報取得要求も無かった場合（ステップＳ３０２、ステップＳ３０４）、デジタルカメラ１００の電源オフ等の終了指示を確認し（ステップＳ３０８）、終了指示があったならば本フローを終了し、終了指示が無かったならばステップＳ３０２に戻る。
【００８５】
このように、本実施形態によれば、デジタルカメラ１００の起動時には、画像ディレクトリのみを解析することで、起動処理の高速化を図ることができる。また、デジタルカメラのように画像ファイルの扱いが主な機器においては、画像に関する情報がもっとも速く取得できることとなり、使い勝手が向上する。
【００８６】
なお、本実施形態では、デジタルカメラを対象としているので、画像ディレクトリの検索を優先しているが、他の記録再生機器で、扱う主たるファイルが画像ファイル以外の場合は、扱う主たるファイル用に用意された特定のディレクトリを先に解析するようにしてもよい。例えば、音声ファイルの扱いが主な記録再生機器においては、起動時には音声ファイルのディレクトリのみ解析するようにしてもよい。
【００８７】
また、画像ファイルと音声ファイルが独立して管理されているため、画像ファイルに関する情報取得要求に関しては画像ディレクトリ解析結果のみを参照し、音声ファイルに関する情報取得要求に関しては音声ディレクトリ解析結果のみを参照するので、それぞれ検索結果に余計なファイルの情報が混在していないため、解析結果の参照においても高速化が図れる。
【００８８】
例えば、全画像消去といった動作要求がユーザーから機器の釦等を通してあった場合、画像ディレクトリ解析結果のみを参照して消去するファイルのパスを決定し、パスで示されたファイルを消去することにより実現可能である。この場合、独立音声ファイルに関する情報の参照は行わないので、独立音声ファイルの有無が画像ファイル操作の動作速度に影響を与えることが無くなる。
【００８９】
図４はパソコン等のアプリケーション画面の一例を示す図である。
【００９０】
デジタルカメラ等の記録再生機器においてはＵＳＢ等のインターフェースによりパソコン等に記録済みファイルの転送が可能なものが多い。
【００９１】
４１１はファイル転送の時の画像ファイル転送を行うアプリケーション画面の一例である。
【００９２】
４１２はＧＵＩ（Graphical User Interface）上の画像取り込み開始ボタンであり、表示部４１３に表示されたデジタルカメラ１００内の画像ファイルの縮小画像一覧に対応する画像ファイルをデジタルカメラ１００からパソコン内のハードディスク等の記録媒体に転送を指示するものである。
【００９３】
４１４は音声ファイル転送を行うアプリケーションを起動するためのＧＵＩ上のボタンである。
【００９４】
４２１はファイル転送の時の音声ファイル転送を行うアプリケーション画面の一例である。
【００９５】
４２２はＧＵＩ上の音声取り込み開始ボタンであり、表示部４２３に表示されたデジタルカメラ１００内の音声ファイル情報一覧に対応する音声ファイルをデジタルカメラ１００からパソコン内のハードディスク等の記録媒体に転送を指示するものである。
【００９６】
例えば、アプリケーション画面４１１の起動時にはデジタルカメラ１００に対し画像ファイルの情報取得すなわちＤＣＩＭ以下の解析及び情報取得を指示する。これにより、音声ディレクトリの解析は行わないため、アプリケーション画面の起動速度に、独立音声ファイルの有無が影響を与えることが無くなり、高速化が図れる。音声ディレクトリの解析及び情報取得はＧＵＩボタン４１４を押してアプリケーション画面４２１を起動する時点で行えばよい。 
以上説明したように、上記の実施形態においては、撮影部により得られた複数の撮影画像を階層構造の最上位にあるルートディレクトリ直下の階層に、所定のディレクトリ構造を有する特定のディレクトリを作成して記録媒体に記録させる画像記録部を有するデジタルカメラにおいて、録音部により得られた複数の録音音声を前記所定のディレクトリ構造と同じディレクトリ構造を有する前記特定のディレクトリとは別の特定のディレクトリを作成して記録媒体に記録させる音声記録部を備えることにより、画像データ、音声データ保存時の階層構造を同一にすることで管理が容易になり、また、特定ディレクトリ毎に扱うフォーマット（拡張子）を個別に規定することにより各特定ディレクトリの用途を限定できる。
【００９７】
また、前記特定のディレクトリ毎にファイルの検索、ファイルの再生、ファイルの編集、ファイルの属性変更、ファイルの削除、のうち少なくとも一つの操作を行うことにより、画像データ、音声データそれぞれのディレクトリのみを操作するため、データファイル毎に音声データか、画像データかの判別を行う必要がなく、操作の高速化が図れる。
【００９８】
また、前記画像の記録された特定のディレクトリの検索を優先的に行うことにより、画像データの追記及び又は再生までに要する時間を短縮することが可能となる。
【００９９】
また、ＰＣ（パーソナルコンピュータ）等の外部機器からの指示により、前記特定のディレクトリ毎にファイルの検索、ファイルの再生、ファイルの編集、ファイルの属性変更、ファイルの削除、のいずれかの操作を行うことにより、ＰＣ等の外部機器より指示のあった時点で、必要な画像データ、音声データそれぞれのディレクトリのみを操作するため、データファイル毎に音声データか、画像データかの判別を行う必要がなく、操作の高速化が図れる。
【０１００】
また、検索対象ディレクトリの管理部は、所定のディレクトリ構造にファイルを保存する場合の命名規則の変更を画像記録部および音声記録部に同時に行うことにより、共有可能な設定項目は設定操作上において共有することで使用者の操作の簡易化を図ることができる。
【０１０１】
なお、上記の実施形態ではデジタルカメラを例に挙げて説明したが、本発明は、デジタルカメラ以外の記録再生機器にも適用可能であるし、また、画像データ及び音声データ以外のデータを扱う記録再生機器にも適用可能である。
【０１０２】
また、上記の実施形態では、ディレクトリ内のファイル名の命名規則をＤＣＦ規格に則るものとして説明したが、ディレクトリ構造にファイルを保存する場合の命名規則を変更する場合は、その命名規則の変更を画像記録ディレクトリおよび音声記録ディレクトリの双方に対して同時に行うようにする。
【０１０３】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０５】
本発明を上記記憶媒体に適用する場合、その記憶媒体には、先に説明した手順に対応するプログラムコードが格納されることになる。
【図面の簡単な説明】
【０１０６】
【図１】本発明の画像及び音声等の記録再生装置をデジタルカメラに適用した一実施形態の構成を示すブロック図である。
【図２】記録媒体内のディレクトリ及びファイルの構成例を示す図である。
【図３】一実施形態のデジタルカメラにおける検索処理のフローチャートである。
【図４】一実施形態におけるパソコンアプリケーション画面の一例を示す図である。
【符号の説明】
【０１０７】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
７０  操作部
８０  電源制御部
８２  コネクタ
８４  コネクタ
８６  電源部
９０  インタフェース
９２  コネクタ
９４  インタフェース
９６  コネクタ
９８  記録媒体着脱検知部
１００  記録再生装置
１０２  保護部
１０４  光学ファインダ
１１０  通信部
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
２２０  音声入力部
２２２  Ａ／Ｄ変換器
２２４  Ｄ／Ａ変換器
２２６  音声出力部
２２８  音声記録開始及び停止釦
【図１】
2006301792.tif 000003
【図２】
2006301792.tif 000004
【図３】
2006301792.tif 000005
【図４】
2006301792.tif 000006